(57)【要約】【課題】  ホスト装置との通信やホスト装置自体に掛かる負荷を軽減しつつ、可能な限り最新の利用履歴に基づくサービスを提供できる通信カラオケ端末を提供する。【解決手段】  グローバル通信手段によりホスト装置と通信するとともに、ローカル通信手段により選曲予約装置とデータ通信し、選曲予約装置から受信した利用者ＩＤに基づき、ホスト装置から利用者ＩＤに該当する利用者情報を取り寄せて一時記憶するとともに、その利用者情報を選曲予約装置にも転送する手段と、選曲予約装置からの利用者ＩＤを伴った指示による利用履歴に基づき、一時記憶している当該利用者ＩＤの利用者情報を更新する手段と、選曲予約装置から転送されてくる利用者ＩＤを伴った利用者情報を受け取り、一時記憶している当該利用者ＩＤの利用者情報と併合して併合利用者情報を作成する手段と、併合利用者情報を利用者ＩＤとともにホスト装置に送信する手段とを備えている。【選択図】    図１６
2005099423.tif 000002
【特許請求の範囲】
【請求項１】
グローバル通信手段によりホスト装置と通信するとともに、ローカル通信手段により選曲予約装置とデータ通信する通信カラオケ端末であって、
選曲予約装置から受信した利用者ＩＤに基づき、ホスト装置から利用者ＩＤに該当する利用者情報を取り寄せて一時記憶するとともに、その利用者情報を選曲予約装置にも転送する手段と、
選曲予約装置からの利用者ＩＤを伴った指示による利用履歴に基づき、一時記憶している当該利用者ＩＤの利用者情報を更新する手段と、
選曲予約装置から転送されてくる利用者ＩＤを伴った利用者情報を受け取り、一時記憶している当該利用者ＩＤの利用者情報と併合して併合利用者情報を作成する手段と、
併合利用者情報を利用者ＩＤとともにホスト装置に送信する手段と
を備えた通信カラオケ端末。
【請求項２】
選曲予約装置からの利用者ＩＤを伴った指示を最後に受け付けてから所定時間が経過すると、一時記憶している当該利用者ＩＤの利用者情報を利用者ＩＤとともにホスト装置に送信する手段を備えたことを特徴とする請求項１に記載の通信カラオケ端末。
【請求項３】
選曲予約装置からの利用者ＩＤを伴った指示を最後に受け付けてから所定時間が経過すると、選曲予約装置に利用者ＩＤを伴った利用者情報を送付させ、一時記憶している当該利用者ＩＤの利用者情報と併合して併合利用者情報を作成し、当該併合利用者情報をホスト装置に送信する手段を備えたことを特徴とする請求項１に記載の通信カラオケ端末。
【請求項４】
選曲予約装置から受信した利用者ＩＤに基づき、ホスト装置から利用者ＩＤに該当する利用者情報を取り寄せてから所定時間が経過すると、一時記憶している当該利用者ＩＤの利用者情報を利用者ＩＤとともにホスト装置に送信する手段を備えたことを特徴とする請求項１に記載の通信カラオケ端末。
【請求項５】
選曲予約装置から受信した利用者ＩＤに基づき、ホスト装置から利用者ＩＤに該当する利用者情報を取り寄せてから所定時間が経過すると、選曲予約装置に利用者ＩＤを伴った利用者情報を送付させ、一時記憶している当該利用者ＩＤの利用者情報と併合して併合利用者情報を作成し、当該併合利用者情報をホスト装置に送信する手段を備えたことを特徴とする請求項１に記載の通信カラオケ端末。
【請求項６】
選曲予約装置から転送されてくる利用者ＩＤを伴った利用者情報は、選曲予約装置により演奏予約された楽曲についての情報であることを特徴とする請求項１〜５のいずれかに記載の通信カラオケ端末。
【請求項７】
歌唱の巧拙に基づいて採点情報を出力する手段を備えるとともに、前記利用者情報を更新する手段は採点情報を更新することを特徴とする請求項１〜６のいずれかに記載の通信カラオケ端末。
【請求項８】
請求項１〜７のいずれかに記載の通信カラオケ端末と通信する選曲予約装置であって、
利用者ＩＤを通信カラオケ端末に送付する手段と、利用者ＩＤに該当する利用者情報を通信カラオケ端末から受信して一時記憶する手段と、
利用者ＩＤを伴った指示を通信カラオケ端末に送信する手段と、
利用者ＩＤを伴った利用者入力に応じて一時記憶している該当の利用者情報を更新する手段と、
利用者ＩＤを伴った利用者情報を通信カラオケ端末に送信する手段と
を備えた選曲予約装置。
【請求項９】
利用者ＩＤを伴った利用者情報として選曲予約した楽曲についての情報を通信カラオケ端末に送信することを特徴とする請求項８に記載の選曲予約装置。
【発明の詳細な説明】
【技術分野】
【０００１】
この発明は、利用者ごとのカラオケ利用履歴などを含む利用者情報をホスト装置から取り寄せるとともに、その利用者情報に基づく各種サービスを利用者に提供する通信カラオケ端末と選曲予約装置に関する。
【背景技術】
【０００２】
カラオケ事業者は、通信カラオケシステムのインフラを利用して、様々な会員向けサービスを提供している。このサービスの提供形態としては、ホスト装置に会員別の記憶領域を用意しておき、通信カラオケ端末は、各会員のカラオケ利用履歴をホスト装置に送って該当する会員の領域に格納させる。また、会員が通信カラオケ端末を利用する際には、その格納情報をホスト装置からダウンロードし、そのダウンロード情報を使用して種々のサービスを会員に提供する。
【０００３】
例えば、以下の特許文献１に記載された通信カラオケシステムでは、会員が個別に所持する選曲予約用のリモコン装置からリモコン識別子と楽曲番号とが含まれる演奏予約コマンドを通信カラオケ端末に送信する。通信カラオケ端末はそのリモコンの識別子を会員識別子として、その識別子に通信カラオケ端末の利用履歴を対応付けして記録する。利用履歴としては、選曲履歴であったり、演奏時に周知の歌唱採点機能を利用したならば、その採点結果であったりする。そして、ホスト装置との定期的な通信機会にその利用履歴をホスト装置にアップロードする。ホスト装置は通信カラオケ端末から受け取った利用履歴に基づいて、例えば、各地の通信カラオケ端末から集信した採点結果を定期的に集計して採点ランキングを作成したり、会員ごとに楽曲の予約回数に応じたポイントを付与したりする。そしてカラオケ事業者は、ホスト装置にて作成・集計されたランキングやポイントに応じて各種特典を会員に提供する。
【０００４】
また特許文献２、３には、利用者がホスト装置に自身の個人情報を登録しておき、通信カラオケ端末を使用する際に、その個人情報をホスト装置から通信カラオケ端末にダウンロードして適宜に利用する構成も開示されている。
【特許文献１】特開平１０−５５１８４号公報
【特許文献２】特開平９−３１９３８６号公報
【特許文献３】特開２００３−１４０６６６号公報
【発明の開示】
【発明が解決しようとする課題】
【０００５】
会員別の利用履歴に基づくサービスとして、例えば、ある会員がある楽曲を歌唱したときの採点結果として、単なる得点ではなく、フレーズごとの巧拙を記録しておき、同じ会員が再度同じ楽曲を歌唱する際には、上手く歌えなかったフレーズの主旋律パートの音量を上げるなど、きめ細かいサービスも考えられる。しかしながら、会員がそのサービスを受けるためには、最新の採点結果が必要となり、１回のカラオケ装置利用機会に同じ楽曲を続けて歌う場合では、特許文献１に記載の通信カラオケシステムでは、前回の歌唱機会の採点結果が反映されてしまう。もちろん、歌唱採点機会ごとにホスト装置にその採点結果をアップロードすることも考えられるが、アップロートやダウンロードに要する時間や通信費が増大する。ホスト装置においても、各地のカラオケ装置からのアクセスを頻繁に受けることになり、処理負荷が増大する。また、リモコン装置においては、複数の利用者で供用する形態では、会員識別子を別途入力する必要が生じる。楽曲の演奏予約機会ごとに会員識別子をその都度入力するのは面倒で、誤入力の可能性もある。
【課題を解決するための手段】
【０００６】
上記課題に鑑み本発明を創作した。本発明は、利用者ごとのカラオケ利用履歴をホスト装置にアップロードし、適時にその利用履歴をダウンロードして各種サービスを利用者に提供する通信カラオケ端末において、ホスト装置との通信やホスト装置自体に掛かる負荷を軽減しつつ、可能な限り最新の利用履歴に基づくサービスを提供できるようにすることを目的としている。また、その通信カラオケ端末用の選曲予約装置を提供することも目的としている。
【０００７】
本発明の通信カラオケ端末は、基本的に、グローバル通信手段によりホスト装置と通信するとともに、ローカル通信手段により選曲予約装置とデータ通信する通信カラオケ端末であって、
選曲予約装置から受信した利用者ＩＤに基づき、ホスト装置から利用者ＩＤに該当する利用者情報を取り寄せて一時記憶するとともに、その利用者情報を選曲予約装置にも転送する手段と、
選曲予約装置からの利用者ＩＤを伴った指示による利用履歴に基づき、一時記憶している当該利用者ＩＤの利用者情報を更新する手段と、
選曲予約装置から転送されてくる利用者ＩＤを伴った利用者情報を受け取り、一時記憶している当該利用者ＩＤの利用者情報と併合して併合利用者情報を作成する手段と、
併合利用者情報を利用者ＩＤとともにホスト装置に送信する手段と
を備えている。
【０００８】
またこの発明は、前記の基本発明に加えて、次の事項（１）〜（６）を適宜に選択的に採用することができる。  
（１）選曲予約装置からの利用者ＩＤを伴った指示を最後に受け付けてから所定時間が経過すると、一時記憶している当該利用者ＩＤの利用者情報を利用者ＩＤとともにホスト装置に送信する手段を備える。  
（２）選曲予約装置からの利用者ＩＤを伴った指示を最後に受け付けてから所定時間が経過すると、選曲予約装置に利用者ＩＤを伴った利用者情報を送付させ、一時記憶している当該利用者ＩＤの利用者情報と併合して併合利用者情報を作成し、当該併合利用者情報をホスト装置に送信する手段を備える。  
（３）  選曲予約装置から受信した利用者ＩＤに基づき、ホスト装置から利用者ＩＤに該当する利用者情報を取り寄せてから所定時間が経過すると、一時記憶している当該利用者ＩＤの利用者情報を利用者ＩＤとともにホスト装置に送信する手段を備える。  
（４）選曲予約装置から受信した利用者ＩＤに基づき、ホスト装置から利用者ＩＤに該当する利用者情報を取り寄せてから所定時間が経過すると、選曲予約装置に利用者ＩＤを伴った利用者情報を送付させ、一時記憶している当該利用者ＩＤの利用者情報と併合して併合利用者情報を作成し、当該併合利用者情報をホスト装置に送信する手段を備える。  
（５）選曲予約装置から転送されてくる利用者ＩＤを伴った利用者情報は、選曲予約装置により演奏予約された楽曲についての情報とする。  
（６）歌唱の巧拙に基づいて採点情報を出力する手段を備えるとともに、前記利用者情報を更新する手段は採点情報を更新する。
【０００９】
また本発明は上記通信カラオケ端末と通信する選曲予約装置にも及んでおり、
利用者ＩＤを通信カラオケ端末に送付する手段と、利用者ＩＤに該当する利用者情報を通信カラオケ端末から受信して一時記憶する手段と、
利用者ＩＤを伴った指示を通信カラオケ端末に送信する手段と、
利用者ＩＤを伴った利用者入力に応じて一時記憶している該当の利用者情報を更新する手段と、
利用者ＩＤを伴った利用者情報を通信カラオケ端末に送信する手段と
を備えている。  
なお、利用者ＩＤを伴った利用者情報として選曲予約した楽曲についての情報を通信カラオケ端末に送信する選曲予約装置としてもよい。
【発明の効果】
【００１０】
本発明の通信カラオケ端末によれば、ホスト装置との通信やホスト装置自体に掛かる負荷を軽減しつつ、可能な限り最新の利用履歴に基づくサービスを提供することができる。
【発明を実施するための最良の形態】
【００１１】
＝＝＝ネットワーク構成＝＝＝
図１は本発明の実施例における通信カラオケ端末を含むネットワーク構成を示している。インターネットを利用したＶＰＮ（Virtual Private Network）７０にカラオケ事業者の各地のカラオケ店舗１００に敷設されたＬＡＮ１１０やホスト装置９０が接続されて広域イントラネットが構築されている。各地のカラオケ店舗１００の各客室１２０には通信カラオケ端末（以下、カラオケ装置）１０やそれに付帯する機器が設置され、カラオケ装置１０はＶＰＮ７０を介してホスト装置９０と通信する。
【００１２】
カラオケ装置１０には電子目次本と呼ばれる楽曲検索機能を備えた選曲予約装置３０が付帯している。電子目次本３０は赤外線信号によりカラオケ装置１０に演奏予約コマンドを送信する。また、この電子目次本３０は内蔵２次電池により動作し、その２次電池を充電するための充電架台５０を付帯している。この架台５０はＲＳ２３２Ｃなどの所定規格の通信インタフェースを備え、カラオケ装置１０が装備する同規格の通信インタフェースと相互に接続されている。そして、電子目次本３０がこの充電架台５０に装着されると、電子目次本３０とカラオケ装置１０とがこの充電架台５０を介して通信するように構成されている。なお、電子目次本３０とカラオケ装置１０との双方向通信については、ＩＥＥＥ８０１．１１ｘ（ｘはａ，ｂ，ｇなど）規格の無線ＬＡＮなどを用いてもよい。もちろん、無線ＬＡＮであれば演奏予約コマンドをＬＡＮ経由で操作対象となるカラオケ装置１０に送信することもできる。
【００１３】
＝＝＝カラオケ装置の基本的な構成と動作＝＝＝
図２は本実施例のカラオケ装置１０の機能ブロック構成である。また図２（Ａ）と（Ｂ）に電子目次本３０の外観と機能ブロック構成を示した。カラオケ装置１０は、周知の通信カラオケシステムの演奏端末とほぼ同様のハードウエア構成であり、中央制御部１１は、各周辺構成部を制御してカラオケ装置１０を統括し、ハードディスク装置１２には多数のカラオケ楽曲について、ＭＩＤＩデータを主体とした伴奏音楽データと、歌詞画像の生成起源となる歌詞描出データとを含むカラオケデータが蓄積されている。また、所定形式の長時間分の動画データと、動画データの処理シーケンス（処理すべき動画データの格納場所と処理順番など）を規定した台本データや、演奏可能なカラオケ楽曲について、曲名やアーティスト名、発表年、歌詞の歌い出し部分などの目次情報も格納されている。そして、中央制御部１１は、各楽曲のカラオケデータ、台本データ、および目次情報を楽曲番号によって識別し、これをカラオケデータベースとして管理している。
【００１４】
ホスト装置９０は、カラオケ装置１０に向けて新譜楽曲についてのカラオケデータ、台本データ、目次情報などを適時に配信したり、カラオケ装置１０にて随時収拾される稼働ログなどを集信したりする。中央制御部１１は、ネットワークインタフェース２３を介して店舗ＬＡＮ１１０およびＶＰＮ７０に接続し、ホスト装置９０と通信する。そして、ホスト装置９０から送付されたカラオケデータを受け取ってカラオケデータベースの内容を更新したり、カラオケ装置１０側にて収集される稼働ログなどの各種情報をホスト装置９０に送信したりする。
【００１５】
一方、電子目次本３０は、液晶ディスプレイ（ＬＣＤ）３１とタッチセンサ３２とを積層したタッチパネル３３を主体としたユーザインタフェースを備え、内蔵するフラッシュメモリ３５にはカラオケ装置１０に蓄積されているものと同様の目次情報や、タッチパネル３３に表示される各種画像情報などが蓄積されている。リモコン制御部３４は、ＣＰＵ、ＲＡＭ、ＲＯＭ、ビデオＲＡＭなどを含み、タッチパネル３３への入力情報に基づいて各種画像情報や文字情報をビデオＲＡＭにビットマップ展開し、そのビットマップデータに基づいてＬＣＤドライバ３６を駆動してタッチパネル３３に適宜な情報を表示する。また、フラッシュメモリ３５に蓄積されている目次情報を楽曲索引データベースとして管理している。
【００１６】
リモコン制御部３４は、タッチパネル３３を介した利用者との対話を通じて目次情報の断片をクエリーとして受け付け、該当するカラオケ楽曲の目次情報を楽曲索引データベースより取り出して提示する。そして、電子目次本３０において、最終的にカラオケ楽曲が１曲に特定され、その楽曲を演奏予約する旨の利用者入力がなされると、リモコン制御部３４は、楽曲番号を含む演奏予約コマンドのコードを生成してこれをＬＥＤドライバ３７に転送する。ＬＥＤドライバ３７は、ＬＥＤ３８を駆動してこのコードを含む赤外線信号を送出させる。
【００１７】
カラオケ装置１０の操作制御部１３は、演奏予約コマンドのコードを受光部１５を介して受け取ると、そのコードを中央制御部１１に転送する。中央制御部１１は、そのコマンド中の楽曲番号を内部のＲＡＭに格納して演奏処理の待ち行列で管理する。そして、待ち行列から楽曲番号を順次取り出し、該当のカラオケデータをハードディスク装置１２より読み出し、このカラオケデータ中の伴奏音楽データをシンセサイザ１９に転送して伴奏音楽を生成させる。
【００１８】
一方、歌詞描出データについては、伴奏音楽に同期して歌唱すべき箇所が色変わりする歌詞画像をビデオＲＡＭ１６に順次ビットマップ展開していく。また、台本データに基づいて所定の動画データを所定の順番で映像制御部１７に順次転送して歌詞画像の背景動画を復号させる。
【００１９】
ミキシングアンプ２０は伴奏音楽と、マイクロホン２２に入力された歌声音声とを混合・増幅してスピーカ２１より音響出力する。映像制御部１７は、復号した動画映像に歌詞画像をスーパーインポーズ処理してディスプレイ１８に表示出力する。
【００２０】
またカラオケ装置１０は歌唱採点機能を備えている。そして、その機能を実現するためのハードウエアとして歌唱採点部２３を備えている。中央制御部１１は、歌唱採点機能を利用する旨の利用者入力を受け付けると、演奏楽曲のカラオケデータにおける主旋律のピッチ（ピッチ基準値）を逐次歌唱採点部２３に転送していく。歌唱採点部２３は、マイクロホン２２から入力される歌唱音声信号をサンプリングしてデジタル歌声データに変換し、この歌声データから歌声ピッチを抽出する。そして、ピッチ基準値と歌声ピッチとを比較し、その比較結果に基づく得点を、例えば１小節ごとなど、適宜な区間ごとに逐次出力していく。なお本実施例では１００点満点の得点を逐次出力する。中央制御部１１は、演奏終了後など全歌唱パートの演奏が終わった時点で、それまでに歌唱採点部２３から逐次出力された得点を集計し、その平均得点（最終得点）を採点結果としてディスプレイ１８に表示する。さらに、このカラオケ装置１０の歌唱採点機能は、演奏終了後に最終得点を提示する他に採点の途中経過情報も出力する動作モードも備えている。具体的には、中央制御部１１は、歌唱採点部２３が逐次出力する得点を集計していき、演奏中のその時点までの集計結果から平均点（途中得点）を求めてこれをリアルタイムで表示する。
【００２１】
＝＝＝ホスト装置＝＝＝
ホスト装置９０は、会員登録されている利用者を会員ＩＤにより識別管理し、各会員ＩＤにその会員についての個人情報（氏名・連絡先・顔写真など）・選曲履歴・歌唱採点履歴・個人曲目帳（十八番など、よく歌う楽曲についての楽曲番号集：以下、ＭＹ 目次本と称す）などを利用者情報として対応付けして記憶・管理している。なお、会員ＩＤに対応付けされた情報の記憶領域をＭｙ ＢＯＸと称し、そのＭｙ ＢＯＸにある情報を利用したサービスをＭｙ ＢＯＸサービスと称することとする。
【００２２】
＝＝＝会員資格＝＝＝
利用者がＭＹ ＢＯＸサービスを享受するためには、その利用者がホスト装置に会員登録されている必要がある。本実施例では、会員は非接触型のＩＣカードを所持し、そのＩＣカードに記憶されている固有の識別番号が会員ＩＤとし、ホスト装置には、会員ＩＤごとにＭＹ ＢＯＸが用意されているものとする。また電子目次本３０は、このＩＣカード用のデータ読取機能を備え、利用者がＩＣカードを電子目次本３０のアンテナ部４５にかざすとカードのＩＤを会員ＩＤとして取得する。そして、電子目次本３０を充電架台５０に装着すると、会員ＩＤが充電架台５０を経由してカラオケ装置１０に転送される。カラオケ装置１０はＶＰＮ７０を介してホスト装置９０にこの転送された会員ＩＤを送信する。ホスト装置９０は、送付されてきた会員ＩＤのＭＹ ＢＯＸに蓄積されている情報をカラオケ装置１０に返送する。
【００２３】
＝＝＝利用者登録＝＝＝
本実施例では現にカラオケ装置１０を使用している人を会員／非会員を問わず利用者としてカラオケ装置１０に一時登録し、カラオケ装置１０は各利用者に２桁の一時的な識別符号（個人識別符号）と各利用者を特定するための画像情報（個人識別標章）と当該カラオケ装置１０の利用履歴などの利用者情報を対応付けしてこれをメンバー表として管理する。会員資格のある利用者については会員ＩＤもメンバー表に登録して管理する。
【００２４】
電子目次本３０は、利用者ごとの個人識別標章を作成して利用者を登録する機能を備えるとともに、各利用者に記憶領域（利用者別フォルダ）を割り当て、このフォルダに適宜な利用者情報を格納する。本実施例では、個人識別標章と選曲履歴とＭＹ 目次本とを格納する。なお個人識別標章は、電子目次本３０にあらかじめ用意されている動物などを模したキャラクタ画像の顔の部分をフレーム枠として、そのフレームの枠内に利用者自身の顔写真などをはめ込んだ画像としている。そして電子目次本３０には、その標章となる画像を撮影するためのデジタルカメラ４０が搭載され、シャッタボタンが筐体の適宜位置に配設されている。
【００２５】
図４〜図８に電子目次本３０における利用者登録時の画面遷移を示した。電子目次本３０を起動すると、この目次本３０が備える各種機能を呼び出すためのトップ画面（図４：１２０）が表示される。ここでは、トップ画面１２０中の「メンバー追加」ボタン１２１を指示する。リモコン制御部３４は、この指示操作に応動してユニークな個人識別符号を発生する。本実施例では「メンバー追加」ボタンの指示機会ごとに連番で個人識別符号を発生するとともに、その符号に対応する利用者フォルダを作成する。そして、利用者登録開始画面（図５：１３０）を表示する。この画面１３０には、利用者登録手順の説明１３１と、あらかじめメモリに用意されている数種類のフレーム画像の一覧１３２とが含まれている。
【００２６】
利用者がこの利用者登録開始画面１３０中のフレーム一覧１３２から希望のフレームを選択すると、デジタルカメラ４４の撮影画像を含む撮影画面（図６：１４０）が表示される。この画面１４０において、撮影画像が子画面１４１に表示されるとともに、この画面１４１に先に選択したフレーム画像の枠と同じ形状の輪郭線（ガイドフレーム）１４２が表示される。利用者は、この状態でデジタルカメラ４４を被写体に向け、枠内にはめ込みたい部分がこのガイドフレーム１４２内に納まるように電子目次本３０本体を前後左右に動かして構図を決め、シャッタボタンを押す。リモコン制御部３４は、この撮影操作に応動してデジタルカメラ４４の撮影画像からガイドフレーム１４２内の画像を切り取り、その切り取り画像を先に選択されたフレーム画像の枠内にはめ込む画像処理を行う。そして、このはめ込み画像を個人別識別標章としてフラッシュメモリ３５に記憶する。
【００２７】
電子目次本３０は、個人別識別標章が作成されると、次に名前の入力案内とともに文字パレット（図７：１５０）を表示する。利用者がこの文字パレットを使用して自身の氏名やニックネームなどの利用者名を文字入力すると、利用者登録画面（図８：１６０）が表示される。この画面には枠内に撮影画像がはめ込まれた状態のフレーム画像１６１とこの画像を個人識別標章として登録するためのボタン１６２とが含まれている。リモコン制御部３４は、この画面にて「登録」ボタン１６２が指示されると、先に発生した個人識別符号と、作成した個人識別標章と、入力された利用者名とを対応付けし、これを利用者フォルダに格納する。そして、先のトップ画面１２０を表示する。
【００２８】
＝＝＝会員登録と会員認証＝＝＝
電子目次本３０は新規会員の登録手続も受け付ける。利用者登録と一緒に会員登録もしたい利用者は、上記利用者登録の手順に先立ってＩＣカードのＩＤを電子目次本３０に読み込ませる操作を行う。図９、図１０にその操作にともなう画面遷移を示した。まず、トップ画面１２０の「ＭＹ ＢＯＸ」ボタン１２２を指示し、ＭＹ ＢＯＸサービスの一覧を含むＭＹ ＢＯＸメニュー画面（図９：１７０）を表示させる。利用者がこの一覧にある「会員登録」ボタン１７１を指示するとカードＩＤの登録を促す記載を含んだ案内画面が表示される（図１０：１８０）。利用者がこの案内に従ってＩＣカードをアンテナ４５に接触させると、カードインタフェース４６は、アンテナ部４５を介して受け取った変調電波を復調し、その復調信号に多重化されているカードＩＤのコードを抽出してそのコードをリモコン制御部３４に転送する。リモコン制御部３４は、カードＩＤのコードを受け取ると個人識別符号を発行し、新規の利用者フォルダを作成する。そして、カードＩＤと個人識別符号とを対応付けしてその利用者フォルダに登録する。電子目次本３０は、会員ＩＤの登録を終えると、先の利用者登録開始画面１３０を表示し、以後は上述の利用者登録手順に従って、個人識別標章や利用者名の登録を受け付ける。図１１に利用者フォルダの概略構造を示した。２桁の個人識別符号に個人識別標章の画像ファイル名と利用者名とが対応付けされ、会員登録した利用者については会員ＩＤも対応付けされている。
【００２９】
なお、会員資格のある利用者については、上記手順を踏まず、トップ画面１２０の「ＭＹ ＢＯＸ」ボタン１２１を指示し、ＭＹ ＢＯＸサービスメニュー画面１７０中の会員認証ボタン１７２を指示し、会員登録画面１８０と同じ画面１８０を表示する。利用者がＩＣカードをアンテナ部４５に接触させると、リモコン制御部３４が会員ＩＤを取得して個人識別符号を発行し、利用者フォルダを作成する。そして、カードＩＤと個人識別符号とをそのフォルダに格納する。
【００３０】
全利用者の登録作業を終えたら、電子目次本３０を充電架台５０に装着する。なお、トップ画面１２０にはその旨１２３が記載されている。電子目次本３０を充電架台５０に装着すると、充電架台５０は電源入力端子４２を介して電子目次本３０側へ電源供給して２次電池４３を充電させるとともに、通信インタフェース（ＩＦ）用端子４０と接続して、電子目次本３０の通信ＩＦ３９とカラオケ装置１０の通信インタフェース２４との通信を仲介する。それによって、利用者フォルダ内の情報が電子目次本３０からカラオケ装置１０に転送される。カラオケ装置１０の中央制御部１１は、受け取った情報をメンバー表にしてハードディスク装置１２など所定の記憶部に格納する。また、受け取った情報中に会員ＩＤが存在し、その会員ＩＤに利用者名と個人識別標章とが対応付けされている場合にはその対応情報をホスト装置９０に送信する。ホスト装置９０は、そのカードＩＤを会員ＩＤとして新規のＭＹ ＢＯＸを開設する。また、ＭＹ ＢＯＸがすでに開設されている登録済み会員については、会員ＩＤをホスト装置３０に送信し、その会員ＩＤのＭＹ ＢＯＸに格納されている利用者情報（利用者名、個人識別標章、過去のカラオケ装置利用履歴など）を返送させる。  カラオケ装置１０はホスト装置３０から返送されてきた利用者情報をメンバー表の該当利用者に対応付けして管理するとともに、所定の利用者情報を充電架台５０を介して電子目次本３０に転送し、電子目次本３０は該当する利用者フォルダにその利用者情報を格納する。
【００３１】
＝＝＝ログイン管理と利用者情報のダウンロード＝＝＝
本実施例のカラオケ装置１０は、利用者が客室１２０に入室して退出するまでなど、１回のカラオケ装置利用機会における期間をログイン期間として管理している。電子目次本３０は、このログインとログアウトの指示を受け付け、ログイン指示は、電子目次本３０にて利用者登録が済み、充電架台５０に電子目次本３０を装着することを持って行われる。そして、個人識別符号と個人識別標章と会員ＩＤがカラオケ装置１０に送信され、メンバー表に所定の情報が登録された時点をログイン時点としている。ログアウト指示は、トップ画面の「ログアウト」ボタン１２４をタッチした上で電子目次本３０を充電架台５０に装着することで行われる。なお、本実施例では「ログアウト」ボタン１２４を指示すると、電子目次本３０を充電架台５０に装着する旨の案内画面がタッチパネルに表示されるようになっている。電子目次本３０にてログアウトの操作が行われると、ログアウトする旨の情報が充電架台５０を介してカラオケ装置１０に転送される。
【００３２】
カラオケ装置１０は、ログイン指示を認知すると、会員のＭＹ ＢＯＸから利用者情報をホスト装置９０からダウンロードする。そして利用者情報中の適宜な情報を電子目次本３０に転送する。もちろんダウンロードされた利用者情報は、双方に同じものが格納されるようにしてもいい。
【００３３】
カラオケ装置１０はログインした時点から、ログアウトの指示情報が充電架台５０を介して電子目次本３０から転送されてくるまで、あるいはカラオケ装置１０の利用状況に基づいてログアウトであると認知したときまでをログイン期間として管理する。本実施例では、最後の演奏予約コマンドを受け付けてから所定時間が経過した時点までをログアウト時点であると認知している。もちろん、ログイン時点から所定時間経過したときやログアウト指示を受け付けないまま日付が変わったときなど、利用状況に基づくログアウト時点は適宜に設定できる。
【００３４】
＝＝＝演奏予約コマンド＝＝＝
図１２〜図１４は、電子目次本３０における演奏予約操作時の画面遷移である。電子目次本３０は、利用者がトップページから適宜な楽曲選曲方式を選択して楽曲検索を行ったり、自身のＭＹ ＢＯＸにある選曲履歴やＭＹ 目次本から楽曲を選択したりして、最終的に１曲が特定されると、その楽曲の詳細情報が記載された画面（図１２：１９０）を表示する。この画面には「予約」ボタン１９１と「採点予約」ボタン１９２とがあり、「予約」ボタン１９１が指示されると、メンバーの特定を促す画面（図１３：１９３）をポップアップ表示する。本実施例では、メンバー表に登録されている利用者の個人識別標章を選択可能に一覧表示する。そして、利用者が自分の標章を選択すると、電子目次本３０は、この選択された標章に対応する個人識別符号と特定楽曲の楽曲番号とを含む演奏予約コマンドを送信する。また、「採点予約」ボタン１９２が指示されると、同様に標章一覧１９３を表示し、特定の個人識別標章が指示されると、該当する個人識別符号と特定楽曲の楽曲番号と採点機能の作動指示とを含む演奏予約コマンドを送信する。そして電子目次本３０は、演奏予約コマンドを送信すると、確認画面（図１４：２００）を表示した後、先のトップ画面１２０を表示する。
【００３５】
カラオケ装置１０の中央制御部１１は、電子目次本３０から転送されてきた演奏予約コマンドを操作制御部１３を介して受け取り、そのコマンド中の楽曲番号を待ち行列に登録する際、その楽曲番号に個人識別符号や歌唱採点機能指示の情報を対応付けする。図１５に待ち行列の登録状態を示した。中央制御部１１は、待ち行列から順次楽曲番号をピックアップし、該当の楽曲を演奏していく際、楽曲番号に歌唱採点機能指示が対応付けされている場合にはその演奏時に歌唱採点機能を作動させる。
【００３６】
＝＝＝利用者情報の更新とアップロード＝＝＝
カラオケ装置１０は、メンバー表で管理する利用者情報の内、ログインに期間中に行ったカラオケ装置１０の利用に係わる情報を更新する。本実施例では、利用者ごとの採点履歴を更新する。採点履歴は、歌唱採点機能を作動させて楽曲演奏したときの採点結果をその演奏楽曲に対応付けしたものであり、過去の採点結果が逐一記録されている。また、採点結果は、最終得点に加え、歌唱採点部２３が楽曲演奏中に逐次出力する途中得点の出力経過も含んでいる。
【００３７】
中央制御部１１は、ある利用者により予約された楽曲の演奏時に歌唱採点機能を作動させた場合、この楽曲の番号と当該演奏機会における途中得点の出力経過と最終得点とを対応付けし、メンバー表の該当の利用者情報の採点履歴として記録する。
【００３８】
また中央制御部１１は、待ち行列からピックアップした楽曲番号に対応付けされている個人識別符号に基づいてメンバー表における該当の利用者情報を取得する。そして、その利用者情報中にピックアップした楽曲番号の楽曲についての採点履歴があると、この楽曲を演奏する際、当該採点履歴に基づいて途中得点が基準以下であった区間を含むフレーズの主旋律の音量を上げるサービス（ボーカルアシストサービス）を提供する。また、この演奏機会に歌唱採点機能を作動させたならば、その採点結果をメンバー表の該当利用者の採点履歴に追記する。この楽曲についての採点履歴を今回の採点結果に書き換えてもよい。もちろん、採点履歴のある楽曲を演奏する際には、無条件で歌唱採点機能を起動してもよい。そして、同じログイン期間中に同じ利用者が同じ楽曲を何度も演奏させた場合、このログイン期間中に採点履歴を逐次追加／更新し、常に最新の採点履歴に基づいてボーカルアシストサービスを提供してもよい。なお、最新の利用者情報に基づくサービスはこの歌唱履歴を利用したものに限らない。例えば、楽曲ごとにキーやテンポの設定値などを対応付けしておけば、同じ楽曲演奏時にその設定値に従った演奏制御を行える。このように、適宜な利用者情報に基づいて的確なサービスを提供することができる。
【００３９】
一方電子目次本３０は、選曲に関する情報を更新する。具体的には、同じログイン期間中に利用者が演奏予約した楽曲を該当の利用者フォルダの選曲履歴に追記したり、利用者がＭＹ 目次本に新規楽曲を登録した際にその曲目帳を更新したりする。なお、ＭＹ 目次本には、演奏履歴において所定回数以上選曲された楽曲や最近選曲された楽曲が自動的に登録されるなど、ＭＹ 目次本への登録規則は適宜に設定できる。
【００４０】
カラオケ装置１０は、電子目次本３０におけるログアウト指示を認知すると、自身１０と電子目次本３０側のそれぞれにて管理されている利用者情報を併合する。その際、電子目次本３０側で更新される情報についてはその情報を採用する。そして、併合した利用者情報をホスト装置９０に送信する。電子目次本３０におけるログアウト指示がなく、所定の利用状況に基づいてログアウトを認知したならば、カラオケ装置１０側にある利用者情報をホスト装置９０に送信する。ホスト装置９０は送付された利用者情報を該当会員のＭＹ ＢＯＸに格納してこれを更新する。図１６にカラオケ装置１０におけるログイン管理に係わる処理との流れを示した。なお、この図には示していないが、電子目次本３０とカラオケ装置１０との通信インタフェースに無線ＬＡＮを用いていれば、電子目次本３０におけるログアウト指示がなく、所定の利用状況に基づいてログアウトを認知した時点で電子目次本３０に利用者ＩＤを伴った利用者情報を送信させ、カラオケ装置１０で管理するメンバー表の利用者情報と併合し、併合した利用者情報を作成してホスト装置９０に送信することができる（処理の順番としては、図１６中、ｓ１０ＹＥＳ→ｓ８→ｓ９に該当）。
【００４１】
あるいは、電子目次本３０では、ログアウト指示を受け付けて自身が管理する利用者情報をカラオケ装置１０に転送すると、利用者フォルダの内容を消去し、新規のログイン指示に備える。もちろん、電子目次本３０でも自身に対する操作状況に基づいてログアウトを認知し、そして、ログアウトを認知したならば、利用者フォルダの内容を消去するようにしてもよい。
【００４２】
このように、本実施例のカラオケ装置１０は、ログイン時に最新の利用者情報をホスト装置９０から取り寄せるとともに、電子目次本３０にも転送し、電子目次本３０側にて更新可能な情報については自身では更新しない。すなわち、ログイン中は所定の利用者情報がカラオケ装置１０側と電子目次本３０側とで分担して更新される。それによって、利用者は常に最新の利用者情報に基づく各種サービスを享受できるとともに、ログイン期間中におけるカラオケ装置１０とホスト装置９０、およびカラオケ装置１０と電子目次本３０との情報更新に係わる通信をなくすことができ、ネットワーク上の各装置（１０，３０，９０）の通信処理に掛かる負荷を軽減することもできる。
【図面の簡単な説明】
【００４３】
【図１】本発明の実施例におけるカラオケ装置を含むネットワーク構成図である。
【図２】上記カラオケ装置の機能ブロック図である。
【図３】上記カラオケ装置に付属する電子目次本の外観図（Ａ）と機能ブロック図（Ｂ）である。
【図４】上記電子目次本に表示されるトップ画面の概略図である。
【図５】上記電子目次本に表示される利用者登録開始画面の概略図である。
【図６】上記電子目次本に表示される撮影画面の概略図である。
【図７】上記電子目次本に表示される文字パレットの概略図である。
【図８】上記電子目次本に表示される利用者登録画面の概略図である。
【図９】上記電子目次本に表示されるＭＹ ＢＯＸサービスメニュー画面の概略図である。
【図１０】上記電子目次本に表示される会員登録案内画面の概略図である。
【図１１】上記電子目次本にて作成される利用者フォルダの概略図である。
【図１２】上記電子目次本に表示される詳細情報画面の概略図である。
【図１３】上記詳細情報画面にて演奏予約を受け付ける際の画面概略図である。
【図１４】上記電子目次本に表示される予約確認画面の概略図である。
【図１５】上記カラオケ装置にて管理されている待ち行列の概略図である。
【図１６】上記カラオケ装置におけるログイン管理処理の流れ図である。
【符号の説明】
【００４４】
１  カラオケ装置
１１  中央制御部
１２  ハードディスク装置
１８  ディスプレイ
３０  電子目次本
３３  タッチパネル
４４  デジタルカメラ
【図１】
2005099423.tif 000003
【図２】
2005099423.tif 000004
【図３】
2005099423.tif 000005
【図４】
2005099423.tif 000006
【図５】
2005099423.tif 000007
【図６】
2005099423.tif 000008
【図７】
2005099423.tif 000009
【図８】
2005099423.tif 000010
【図９】
2005099423.tif 000011
【図１０】
2005099423.tif 000012
【図１１】
2005099423.tif 000013
【図１２】
2005099423.tif 000014
【図１３】
2005099423.tif 000015
【図１４】
2005099423.tif 000016
【図１５】
2005099423.tif 000017
【図１６】
2005099423.tif 000018